(57)【要約】【課題】予め蓄積された国名情報からユーザーが任意に選択することにより、当該国名情報に対応する国別固有情報を表示手段により視覚的に表示させるとともに、選択したインターネットラジオ局の放送を視聴することが可能となるインターネットラジオ装置を提供すること。【解決手段】インターネットラジオ装置１０に、国名情報が蓄積された国名情報蓄積手段１２と、インターネットラジオ局情報が蓄積された局情報蓄積手段１４と、国別固有情報が蓄積された国別固有情報蓄積手段１６と、国名情報を表示選択可能とさせる国名情報表示選択手段１８と、選択された国名情報に基づいて、国別固有情報を抽出表示させる国別固有情報抽出表示手段２４と、選択された国名情報に基づいて、インターネットラジオ局情報を選択し、当該選択されたインターネットラジオ局の放送データをインターネット経由にて受信する放送データ受信手段３０と、受信されたインターネットラジオ放送データを出力する音声データ出力手段３２とを具備させた。【選択図】図１
0003148963.tif 000002
【実用新案登録請求の範囲】
【請求項１】
世界各国の国位置情報が表示され、選択可能とされる国位置情報表示選択手段と、
前記国位置情報表示選択手段に表示されている国位置情報に対応するインターネットラジオ局情報が蓄積された局情報蓄積手段と、
前記国位置情報表示選択手段により選択された国位置情報に基づき、前記局情報蓄積手段に蓄積されたインターネットラジオ局情報を選択し、当該選択されたインターネットラジオ局情報に基づく放送データをインターネット経由にて受信する放送データ受信手段と、
前記放送データ受信手段によって受信されたインターネットラジオ放送データを音声データとして出力する音声データ出力手段と、
を具備することを特徴とするインターネットラジオ装置。
【請求項２】
世界各国の国名情報が蓄積された国名情報蓄積手段と、
前記国名情報蓄積手段に蓄積された国名情報に対応するインターネットラジオ局情報が蓄積された局情報蓄積手段と、
前記国名情報蓄積手段に蓄積された国名情報に関する国別固有情報が蓄積された国別固有情報蓄積手段と、
前記国名情報蓄積手段に蓄積された国名情報を表示し、選択可能とさせる国名情報表示選択手段と、
前記国名情報表示選択手段により選択された国名情報に基づいて、前記国別固有情報蓄積手段より国別固有情報を抽出表示させる国別固有情報抽出表示手段と、
前記国名情報表示選択手段により選択された国名情報に基づき、前記局情報蓄積手段に蓄積されたインターネットラジオ局情報を選択し、当該選択されたインターネットラジオ局情報に基づく放送データをインターネット経由にて受信する放送データ受信手段と、
前記放送データ受信手段によって受信されたインターネットラジオ放送データを音声データとして出力する音声データ出力手段と、
を具備することを特徴とするインターネットラジオ装置。
【請求項３】
前記国名情報表示選択手段は、タッチパネルからなり、当該タッチパネル上に表示された前記国名情報を直接タッチすることにより、当該国名情報を選択する構成となっていることを特徴とする請求項２記載のインターネットラジオ装置。
【請求項４】
前記国別固有情報は、前記インターネットラジオ局の国位置情報を含んでいることを特徴とする請求項２または３記載のインターネットラジオ装置。
【請求項５】
前記国別固有情報抽出表示手段は、地図情報表示手段を具備するとともに、当該地図情報表示手段上において前記国位置情報に対応する地点をハイライト表示させるハイライト表示手段を具備することを特徴とする請求項４記載のインターネットラジオ装置。
【請求項６】
前記地図情報表示手段は、地球儀状であることを特徴とする請求項５記載のインターネットラジオ装置。
【請求項７】
前記局情報蓄積手段に蓄積されているインターネットラジオ局情報を随時更新させる情報更新手段をさらに具備することを特徴とする請求項１から６いずれか１項記載のインターネットラジオ装置。
【考案の詳細な説明】
【技術分野】
【０００１】
本考案は、インターネットラジオ装置に関するものであって、詳しくは、ユーザーが任意に選択した国名情報に対応するインターネットラジオ局の放送を音声出力させるとともに、当該選択した国名情報に関する国別固有情報を表示手段により表示させるというもの、また、表示された国名情報に対応した国位置情報を選択させ、その結果、容易にインターネットラジオ局の選局を可能とするというものである。
【背景技術】
【０００２】
従来から、ネットワークを通じてインターネットラジオ局の放送をユーザーが容易に受信することができるインターネットラジオ装置が知られている。こういったインターネットラジオ装置は、インターネットを介してインターネットラジオ放送を配信するサーバーを検索し、当該検索されたサーバーからインターネットラジオ放送のデータを受信し、音声再生ソフト等を用いて音声出力するという構成になっている。この技術によると、例えば自宅にいながら、世界中の言語や音楽等に触れることが可能となり、無線電波を受信してラジオ放送を音声出力するラジオ装置に比べて、グローバルであり、非常に使い勝手が良いとされている。
【考案の開示】
【考案が解決しようとする課題】
【０００３】
ところで、従来の技術では、ユーザーが任意のインターネットラジオ局を選択し、その放送を視聴していたとしても、そのインターネットラジオ局が存在する国に関する情報（例えば、インターネットラジオ局がある国の位置等）を取得することが難しく、仮に、パソコン上で当該情報を取得したとしても、その情報表示手段は限られており、視覚的及び直感的に認識しにくいという欠点があった。
【０００４】
本考案が解決しようとしている課題は、上述の問題に対応するためのもので、即ち、予め蓄積された国名情報からユーザーが任意に国名情報を選択することにより、当該国名情報に関する国別固有情報を表示手段により表示させるとともに、選択した国名情報に対応するインターネットラジオ局の放送をも視聴することが可能となるインターネットラジオ装置を提供することにある。また、表示された国名情報に対応した国位置情報を選択させ、その結果、容易にインターネットラジオ局の選局を可能とするユーザーフレンドリーなインターネットラジオ装置を提供することにもある。
【課題を解決するための手段】
【０００５】
上述の課題を解決するために、本考案は、以下の技術的手段を講じている。
即ち、請求項１記載の考案は、世界各国の国位置情報が表示され、選択可能とされる国位置情報表示選択手段と、前記国位置情報表示選択手段に表示されている国位置情報に対応するインターネットラジオ局情報が蓄積された局情報蓄積手段と、前記国位置情報表示選択手段により選択された国位置情報に基づき、前記局情報蓄積手段に蓄積されたインターネットラジオ局情報を選択し、当該選択されたインターネットラジオ局情報に基づく放送データをインターネット経由にて受信する放送データ受信手段と、前記放送データ受信手段によって受信されたインターネットラジオ放送データを音声データとして出力する音声データ出力手段とを具備することを特徴とするインターネットラジオ装置である。
【０００６】
また、請求項２記載の考案は、世界各国の国名情報が蓄積された国名情報蓄積手段と、前記国名情報蓄積手段に蓄積された国名情報に対応するインターネットラジオ局情報が蓄積された局情報蓄積手段と、前記国名情報蓄積手段に蓄積された国名情報に関する国別固有情報が蓄積された国別固有情報蓄積手段と、前記国名情報蓄積手段に蓄積された国名情報を表示し、選択可能とさせる国名情報表示選択手段と、前記国名情報表示選択手段により選択された国名情報に基づいて、前記国別固有情報蓄積手段より国別固有情報を抽出表示させる国別固有情報抽出表示手段と、前記国名情報表示選択手段により選択された国名情報に基づき、前記局情報蓄積手段に蓄積されたインターネットラジオ局情報を選択し、当該選択されたインターネットラジオ局情報に基づく放送データをインターネット経由にて受信する放送データ受信手段と、前記放送データ受信手段によって受信されたインターネットラジオ放送データを音声データとして出力する音声データ出力手段とを具備することを特徴とするインターネットラジオ装置である。
【０００７】
また、請求項３記載の考案は、請求項２記載のインターネットラジオ装置であって、前記国名情報表示選択手段は、タッチパネルからなり、当該タッチパネル上に表示された前記国名情報を直接タッチすることにより、当該国名情報を選択する構成となっていることを特徴としている。
【０００８】
そして、請求項４記載の考案は、請求項２または３記載のインターネットラジオ装置であって、前記国別固有情報は、前記インターネットラジオ局の国位置情報を含んでいることを特徴としている。
【０００９】
さらに、請求項５記載の考案は、請求項４記載のインターネットラジオ装置であって、前記国別固有情報抽出表示手段は、地図情報表示手段を具備するとともに、当該地図情報表示手段上において前記国位置情報に対応する地点をハイライト表示させるハイライト表示手段を具備することを特徴としている。
【００１０】
また、請求項６記載の考案は、請求項５記載のインターネットラジオ装置であって、前記地図情報表示手段は、地球儀状であることを特徴としている。またさらに、請求項７記載の考案は、請求項１から６いずれか１項記載のインターネットラジオ装置であって、前記局情報蓄積手段に蓄積されているインターネットラジオ局情報を随時更新させる情報更新手段をさらに具備することを特徴としている。
【考案の効果】
【００１１】
請求項１記載の考案は、世界各国の国位置情報が表示され、選択可能とされる国位置情報表示選択手段と、前記国位置情報表示選択手段に表示されている国位置情報に対応するインターネットラジオ局情報が蓄積された局情報蓄積手段と、前記国位置情報表示選択手段により選択された国位置情報に基づき、前記局情報蓄積手段に蓄積されたインターネットラジオ局情報を選択し、当該選択されたインターネットラジオ局情報に基づく放送データをインターネット経由にて受信する放送データ受信手段と、前記放送データ受信手段によって受信されたインターネットラジオ放送データを音声データとして出力する音声データ出力手段とを具備することを特徴とするインターネットラジオ装置であるので、国の位置情報という表示情報を選択することが簡単（視覚的に認識しやすい）になり、容易にインターネットラジオ放送を視聴することが可能となる。
【００１２】
また、請求項２記載の考案は、世界各国の国名情報が蓄積された国名情報蓄積手段と、前記国名情報蓄積手段に蓄積された国名情報に対応するインターネットラジオ局情報が蓄積された局情報蓄積手段と、前記国名情報蓄積手段に蓄積された国名情報に関する国別固有情報が蓄積された国別固有情報蓄積手段と、前記国名情報蓄積手段に蓄積された国名情報を表示し、選択可能とさせる国名情報表示選択手段と、前記国名情報表示選択手段により選択された国名情報に基づいて、前記国別固有情報蓄積手段より国別固有情報を抽出表示させる国別固有情報抽出表示手段と、前記国名情報表示選択手段により選択された国名情報に基づき、前記局情報蓄積手段に蓄積されたインターネットラジオ局情報を選択し、当該選択されたインターネットラジオ局情報に基づく放送データをインターネット経由にて受信する放送データ受信手段と、前記放送データ受信手段によって受信されたインターネットラジオ放送データを音声データとして出力する音声データ出力手段とを具備することを特徴とするインターネットラジオ装置であるので、ユーザーが任意に選択した国名情報に対応するインターネットラジオ局の放送を視聴するとともに、当該国名情報に関する国別固有情報を視覚的及び直感的に認識することが可能となる。
【００１３】
また、請求項３記載の考案は、請求項２記載のインターネットラジオ装置であって、前記国名情報表示選択手段は、タッチパネルからなり、当該タッチパネル上に表示された前記国名情報を直接タッチすることにより、当該国名情報を選択する構成となっていることを特徴としているので、インターネットラジオ局情報の選択操作の向上に繋がる。その他、前記国名情報表示選択手段を、入力部と表示部とに分け、入力部を操作することによって、表示部に表示される国名情報を選択できるような構成とすることによっても、ユーザーの選択操作性の向上に繋がる。
【００１４】
そして、請求項４記載の考案は、請求項２または３記載のインターネットラジオ装置であって、前記国別固有情報は、前記インターネットラジオ局の国位置情報を含んでいることを特徴としているので、表示装置にインターネットラジオ局が存在する国の位置が国別固有情報として表示されるため、ユーザーのコンテンツ情報に対する認識がより充実したものとなる。なお、国位置情報は、ＧＰＳに基づく詳細な位置情報でも良いし、各国に存在する都市の位置を示す位置情報としても良い。
【００１５】
そして、請求項５記載の考案は、請求項４記載のインターネットラジオ装置であって、前記国別固有情報抽出表示手段は、地図情報表示手段を具備するとともに、当該地図情報表示手段上において前記国位置情報に対応する地点をハイライト表示させるハイライト表示手段を具備することを特徴としているため、ユーザーが選択したインターネットラジオ局の所在地が地図上のどの国にあるのかが容易に認識でき、地理の学習をも行うことができるようになる。さらに、インターネット放送を視聴しながら、当該インターネットラジオ局が存在する国の音楽を始めとする文化を簡単にイメージすることができるようにもなる。
【００１６】
さらに、請求項６記載の考案は、請求項５記載のインターネットラジオ装置であって、前記地図情報表示手段は、地球儀状であることを特徴としているため、ユーザーにとって、よりインターネットラジオ局の所在地をイメージしやすくなる。なお、上記ハイライト表示手段に、例えば、青色ＬＥＤ等を用いれば、ユーザーに対する癒し効果を与えることが可能となる。また、上記ハイライト表示手段をユーザーが視覚的・直感的に認識しやすい構成からなる表示手段に置き換えるのも良い。
【００１７】
また、請求項７記載の考案は、請求項１から６いずれか１項記載のインターネットラジオ装置であって、前記局情報蓄積手段に蓄積されているインターネットラジオ局情報を随時更新させる情報更新手段をさらに具備することを特徴としているため、例えば、新しく開業したインターネットラジオ局や廃業したインターネットラジオ局の情報等をいち早く反映させることが可能となり、ユーザーにとって使い勝手が良くなる。なお、情報更新手段は、自動的にインターネットを通じて例えば、インターネットラジオ局情報データを蓄積しているサーバーから情報を収集し、反映させるように構成させても良いし、予め情報が蓄積された外部記憶装置を用いて反映させるようにしても良い。
【考案を実施するための最良の形態】
【００１８】
本考案に係るインターネットラジオ装置の実施形態について図面を参照して説明する。
図１は、本考案の第１の実施形態におけるインターネットラジオ装置を表したもので、（ａ）はインターネットに接続されたインターネットラジオ装置全体、（ｂ）及び（ｃ）は地図情報表示手段の拡大図を表している。そして、１０はインターネットラジオ装置、１２は国名情報蓄積手段、１４は局情報蓄積手段、１６は国別固有情報蓄積手段、１８は国名情報表示選択手段、２０は国名入力部、２２は国名表示部、２４は国別固有情報抽出表示手段、２６は地図情報表示手段、２８はハイライト表示手段、３０は放送データ受信手段、３２は音声データ出力手段を示している。
【００１９】
ユーザーは、希望する国のインターネットラジオ放送を視聴する際に、まずインターネットラジオ装置１０の国名情報表示選択手段１８に含まれる国名入力部２０を操作し、国名表示部２２に表示される国名情報（日本、アメリカ、イギリス・・・）から希望する国名（例えば、日本）を選択する（例えば、実行ボタンを押下する）。なお、国名表示部２２に表示される国名情報は、国名情報蓄積手段１２に予め蓄積されている国名情報によってもたらされる。国名入力部２０は、図に示すように上下（左右でも良い）のキーや、回転スイッチ等によって構成されているが、これをタッチパネルに置き換えて、タッチパネル上に表示される国名情報をユーザーが直接タッチすることによって国名情報を選択するようにしても良い。
【００２０】
国名情報表示選択手段１８によって、国名情報が選択された場合には、放送データ受信手段３０が、当該国名情報をキーとして、局情報蓄積手段１４に蓄積されたインターネットラジオ局情報に含まれる、例えばＵＲＬといったインターネットラジオ局の識別データを選択し、当該識別データに基づいたインターネットラジオ局の放送データをインターネット経由にて受信する。なお、本図は、局情報蓄積手段１４に、予めインターネットラジオ局情報データを蓄積しているサーバーからインターネットラジオ局情報をダウンロードできるように構成している。
【００２１】
続いて、放送データ受信手段３０が受信したインターネットラジオ局の放送データは、スピーカーからなる音声データ出力手段３２によって、音声出力され、ユーザーはインターネットラジオ放送を視聴することが可能となる。この流れと平行して、国別固有情報抽出表示手段２４は、国名情報をキーとして、国別固有情報蓄積手段１６に蓄積されている国別固有情報を抽出し、表示手段に表示させる（信号をＯＮにする）。当該国別固有情報は、国名情報に基づく国の地図上の位置情報を示すものであり、地球儀状の地図情報表示手段２６上における該当位置（（ｂ）参照。縦縞）をハイライト表示手段２８によって、ハイライト表示させるように（（ｃ）参照。横縞）構成されている。なお、地図上の位置情報は、ＧＰＳに基づく詳細な位置情報でも良いし、各国の都市の位置情報でも良く、ユーザーが認識しやすい情報であれば良い。
【００２２】
次に、図２は、本考案に係る第２の実施形態におけるインターネットラジオ装置を表したものであり、（ａ）はインターネットに接続されたインターネットラジオ装置全体、（ｂ）及び（ｃ）は地図情報表示手段の拡大図を表している。そして、図１と同様に、１０はインターネットラジオ装置、１２は国名情報蓄積手段、１４は局情報蓄積手段、１６は国別固有情報蓄積手段、１８は国名情報表示選択手段、２０は国名入力部、２２は国名表示部、２４は国別固有情報抽出表示手段、２６は地図情報表示手段、２８はハイライト表示手段、３０は放送データ受信手段、３２は音声データ出力手段を示している他、３４は照明装置を示している。
【００２３】
ユーザーが希望する国のインターネットラジオ放送を視聴する方法は、第１の実施形態と同様であるが、本実施形態では、地球儀状の地図情報表示手段２６上における各国所定の位置に照明装置３４が設けられおり（（ｂ）参照）、ハイライト表示手段２８によって、照明装置３４が点灯や点滅等行うような構成となっている（（ｃ）参照）。なお、照明装置３４は、ユーザーにとって認識しやすいものであれば何でも良く、例えば青色ＬＥＤを用いれば、癒し効果が生じ、より一層インターネットラジオの視聴を楽しむことが可能となる。
【００２４】
続いて、図３は、本考案に係る第３の実施形態におけるインターネットラジオ装置を示したものであり、インターネットに接続されたインターネットラジオ装置全体を表している。そして、図１と同様に、１０はインターネットラジオ装置、１２は国名情報蓄積手段、１４は局情報蓄積手段、１６は国別固有情報蓄積手段、１８は国名情報表示選択手段、２０は国名入力部、２２は国名表示部、２４は国別固有情報抽出表示手段、２６は地図情報表示手段、３０は放送データ受信手段、３２は音声データ出力手段を示している。
【００２５】
ユーザーが希望する国のインターネットラジオ放送を視聴する方法は、第１、２の実施形態と同様であるが、本実施形態では、国別固有情報抽出表示手段２４の地図情報表示手段２６がモニター画面により構成されている。国別固有情報抽出表示手段２４が、国名情報をキーとして、国別固有情報蓄積手段１６に蓄積されている国別固有情報を抽出し、地図情報表示手段２６（モニター画面）に表示させるのであるが、この国別固有情報蓄積手段１６に予め国名情報に基づく国の地図上の位置を示す情報の他、対象国の言語や文化、観光スポットの紹介等々の文字情報を国別固有情報として蓄積させておくことによって、インターネットラジオ放送を視聴しながら、当該インターネットラジオ局の位置を知るとともに有用な情報をも取得することができるようになる。
【００２６】
なお、国別固有情報は、随時更新できるような更新手段を設けておくことが好ましく、例えば、常時インターネットから情報を取得できるような仕組みにしておくと良い。また、局情報蓄積手段１４に蓄積されたインターネットラジオ局情報も随時更新できるような更新手段を設けておくと利便性の向上に繋がる。
【００２７】
次に、本考案に係るインターネットラジオ装置の構成について図面を参照しながら説明する。
図４は、インターネットに接続された、本考案に係るインターネットラジオ装置の構成を示す図である。まず、ユーザーが国名情報表示選択手段の国名表示部に表示された国名の中から視聴を希望する国名を国名入力部から選択する。国名表示部に表示される国名は、国名情報蓄積手段に予め蓄積された国名情報が表示されることになっている。なお、国名情報には、各国別にユニークの国別キーが割り振られていて（例えば、日本「０００１」、アメリカ「０００２」、イギリス「０００３」・・・）、選択キーによって順番にインクリメント若しくはデクリメントされることにより表示される国名が変更される仕組みになっている。
【００２８】
国名情報が選択された場合、放送データ受信手段が、当該国名情報に対応した（国別キーを参照して）インターネットラジオ局情報蓄積手段に蓄積されているインターネットラジオ局情報を選択し、この選択されたインターネットラジオ局情報に基づいてインターネットラジオ局の放送データをインターネット経由にて受信し、音声データ出力手段（スピーカー）を通じて音声データとして出力させる。なお、インターネットラジオ局情報には、各インターネットラジオ局の放送データがアップロードされているサーバーのＵＲＬ情報を含ませておくことで、スムースな受信が可能となる。
【００２９】
それと平行して、国別固有情報抽出選択手段が、選択された国名情報に対応した（国別キーを参照して）国別固有情報蓄積手段に蓄積された国別固有情報を抽出し、表示手段に当該国別固有情報を表示させる。そうすることによって、ユーザーは、選択した国に関する国別固有情報を参照しながら、インターネットラジオ局の放送を視聴することが可能となるのである。
【００３０】
なお、国別固有抽出表示手段に、地球儀を模した地図情報表示手段とハイライト表示手段を設けておくことで、選択した国の位置を当該地図情報表示手段にハイライト表示させることができ、ユーザーにとって選択した国に対する認識度が高まることが期待できる。この地図情報表示手段は、地球儀を模したものであることが好ましいが、例えば、モニターに地図を表示させて、その地図上に選択した国をハイライト表示させるようにしても良い。
【００３１】
続いて、図５は、本考案に係るインターネットラジオ装置のその他の実施形態を示したもので、（ａ）はインターネットに接続されたインターネットラジオ装置全体、（ｂ）は国位置情報表示選択手段の拡大図を表している。そして、図１と同様に、１０はインターネットラジオ装置、１４は局情報蓄積手段、３０は放送データ受信手段、３２は音声データ出力手段、３４は国位置情報表示選択手段を示している。ユーザーは、希望する国のインターネットラジオ放送を視聴する際に、まず、図に示す地球儀状の国位置情報表示選択手段３４に表示されている当該希望する国にタッチする（国位置情報にタッチする）。
【００３２】
ユーザーが希望する国にタッチすると、国位置情報表示選択手段３４の該当箇所（選択された箇所）のセンサー（（ｂ）参照）が反応し、放送データ受信手段３０に対して信号（国位置情報に基づく信号）が送られるような構成になっている（センサーの代わりに、ボタンスイッチ等を用いても良い）。そうすることで、放送データ受信手段３０が、当該信号を認識し、選択された国位置情報に基づいて、局情報蓄積手段１４に蓄積されたインターネットラジオ局情報に含まれる、例えばＵＲＬといったインターネットラジオ局の識別データを選択し、当該識別データに基づいたインターネットラジオ局の放送データをインターネット経由にて受信する。なお、本図は、局情報蓄積手段１４に、予めインターネットラジオ局情報データを蓄積しているサーバーからインターネットラジオ局情報をダウンロードできるように構成している。
【００３３】
次に、放送データ受信手段３０が受信したインターネットラジオ局の放送データは、スピーカーからなる音声データ出力手段３２によって、音声出力され、ユーザーはインターネットラジオ放送を視聴することが可能となる。なお、図に示すように、国位置情報表示選択手段３４を地球儀状とするとインテリアとしての機能も発揮されるが、これをタッチパネル装置等にて構成することも可能である。
【産業上の利用可能性】
【００３４】
本考案に係るインターネットラジオ装置は、希望する国を選択することにより、当該選択した国のインターネットラジオ局の放送を視聴しながら、選択した国の情報を視覚的に認識することが可能となるため、ユーザーにとって、放送を楽しむと同時に選択した国に関する情報を学習することができ、さらにその国の音楽や文化を簡単にイメージすることができるという有用な技術となる。
【図面の簡単な説明】
【００３５】
【図１】本考案に係るインターネットラジオ装置の第１の実施形態を示した図で、（ａ）はインターネットラジオ装置全体、（ｂ）及び（ｃ）は、地図情報表示装置の拡大図を表したものである。
【図２】本考案に係るインターネットラジオ装置の第２の実施形態を示した図で、（ａ）はインターネットラジオ装置全体、（ｂ）及び（ｃ）は、地図情報表示装置の拡大図を表したものである。
【図３】本考案に係るインターネットラジオ装置の第３の実施形態を示した図で、（ａ）はインターネットラジオ装置全体を表したものである。
【図４】本考案に係るインターネットラジオ装置の構成を表した図である。
【図５】本考案に係るインターネットラジオ装置のその他の実施形態を示した図で、（ａ）はインターネットに接続されたインターネットラジオ装置全体、（ｂ）は国位置情報表示選択手段の拡大図を表している。
【符号の説明】
【００３６】
１０  インターネットラジオ装置
１２  国名情報蓄積手段
１４  局情報蓄積手段
１６  国別固有情報蓄積手段
１８  国名情報表示選択手段
２０  国名入力部
２２  国名表示部
２４  国別固有情報抽出表示手段
２６  地図情報表示手段
２８  ハイライト表示手段
３０  放送データ受信手段
３２  音声データ出力手段
３４  国位置情報表示選択手段
【図１】
0003148963.tif 000003
【図２】
0003148963.tif 000004
【図３】
0003148963.tif 000005
【図４】
0003148963.tif 000006
【図５】
0003148963.tif 000007